(57)【要約】【課題】ユーザー毎に異なる様々な利用形態に対する利便性を高める。【解決手段】管理テーブルにより、複数の登録画像と登録画像毎に紐付けられた実行処理とを管理し、画像認識部１１８により、スキャナー部１０１が読み取った原稿の画像データから物体画像などを抽出し、実行処理特定部１１９により、管理テーブルを参照し、管理テーブルに画像認識部１１８が抽出した物体画像、シンボルマーク、ロゴマークなどと一致する登録画像が有る場合、一致する登録画像に紐付けられた実行処理を特定し、システム制御部１２２により、実行処理特定部１１９が特定した実行処理に従い、該当する機能を制御する。このように、システム制御部１２２が管理テーブルの登録画像に紐付けられている実行処理に従い、該当する機能を制御することで、原稿の画像に応じた様々な機能の自動処理が可能となる。【選択図】図１
2018074538.tif 000002
【特許請求の範囲】
【請求項１】
スキャナー部と、
複数の第１の画像と前記第１の画像毎に紐付けられた実行処理とを管理する管理テーブルと、
前記スキャナー部が読み取った原稿の画像データから第２の画像を抽出する画像認識部と、
前記管理テーブルを参照し、前記管理テーブルに前記画像認識部が抽出した前記第２の画像と一致する前記第１の画像が有る場合、一致する前記第１の画像に紐付けられた実行処理を特定する実行処理特定部と、
前記実行処理特定部が特定した実行処理に従い、該当する機能を制御するシステム制御部とを備える
ことを特徴とする画像形成装置。
【請求項２】
前記管理テーブルは、前記第１の画像毎に設定した第１の属性を管理し、
前記画像認識部は、前記画像データから前記第２の画像の第２の属性を抽出し、
前記実行処理特定部は、前記管理テーブルに前記第２の属性と一致する前記第１の属性が有る場合、一致する前記第１の属性に対応した前記第１の画像に紐付けられている実行処理を特定する
ことを特徴とする請求項１に記載の画像形成装置。
【請求項３】
前記第１の属性は、前記第１の画像の位置、色、サイズ、傾きのいずれか又はいずれかの組み合わせを含み、
前記第２の属性は、前記第２の画像の位置、色、サイズ、傾きのいずれか又はいずれかの組み合わせを含む
ことを特徴とする請求項２に記載の画像形成装置。
【請求項４】
管理テーブルにより、複数の第１の画像と前記第１の画像毎に紐付けられた実行処理とを管理する工程と、
画像認識部により、スキャナー部が読み取った原稿の画像データから第２の画像を抽出する工程と、
実行処理特定部により、前記管理テーブルを参照し、前記管理テーブルに前記画像認識部が抽出した前記第２の画像と一致する前記第１の画像が有る場合、一致する前記第１の画像に紐付けられた実行処理を特定する工程と、
システム制御部により、前記実行処理特定部が特定した実行処理に従い、該当する機能を制御する工程とを、画像形成装置を制御するコンピューターに実行させる
ことを特徴とする画像形成プログラム。
【発明の詳細な説明】
【技術分野】
【０００１】
本発明は、各種機能の自動処理に適した画像形成装置及び画像形成プログラムに関する。
【背景技術】
【０００２】
たとえば、多機能プリンター、複合機などのＭＦＰ（Ｍｕｌｔｉｆｕｎｃｔｉｏｎ  Ｐｅｒｉｐｈｅｒａｌ）である画像形成装置においては、印刷機能、コピー機能、ＦＡＸ機能、ネットワーク経由でのデータ送受信機能などを搭載している機種がある。また、近年の画像形成装置では、機能の向上に伴い、たとえば読み取った原稿の画像の再現を忠実に行うことが可能となっている。このようなことから、たとえばデジタルカメラあるいはスマートフォンなどの携帯端末で撮影した紙幣、有価証券、機密書類などの不正コピーに対する対策が求められている。
【０００３】
不正コピーの対策の一例として、特許文献１では、画像データから印刷禁止パターンに類似する画像パターンを検出し、検出した画像パターンの印刷禁止パターンに対する類似度を判定する類似度判定部と特定画像判定部とを備え、特定画像判定部は、類似度を一定の閾値と比較して、画像パターンを含む画像データが、印刷禁止パターンを含む特定画像のものであるか否かを判定する判定部と、画質決定情報により示される画像データの画質が所定の基準値よりも高い場合に閾値を第１の閾値とし、画質が基準値以下である場合に、閾値を第１の閾値よりも高い第２の閾値とする閾値設定部とを備える画像処理装置を提案している。
【先行技術文献】
【特許文献】
【０００４】
【特許文献１】特開２０１０−１２４０６９号公報
【発明の概要】
【発明が解決しようとする課題】
【０００５】
上述した特許文献１での画像処理装置では、特定画像判定部が類似度判定部の判定した類似度を一定の閾値と比較し、画像パターンを含む画像データが印刷禁止パターンを含む特定画像のものであるか否かを判定するので、特定画像に類似する画像データの不正な印刷を禁止できる。
【０００６】
ところが、この画像処理装置では、予め印刷禁止パターンを設定しておくことで、検出した画像パターンが印刷禁止パターンを含む特定画像の不正な印刷を禁止できるものの、印刷を禁止するという機能の自動処理に限定されてしまう。
【０００７】
このように、機能の自動処理が限定されてしまうと、ユーザー毎に異なる様々な利用形態に対する利便性を阻害してしまうことになることから、原稿の画像に応じて様々な機能の自動処理を可能とする装置の開発が望まれている。
【０００８】
本発明は、このような状況に鑑みてなされたものであり、上記問題点を解消することができる画像形成装置及び画像形成プログラムを提供することを目的とする。
【課題を解決するための手段】
【０００９】
本発明の画像形成装置は、スキャナー部と、複数の第１の画像と前記第１の画像毎に紐付けられた実行処理とを管理する管理テーブルと、前記スキャナー部が読み取った原稿の画像データから第２の画像を抽出する画像認識部と、前記管理テーブルを参照し、前記管理テーブルに前記画像認識部が抽出した前記第２の画像と一致する前記第１の画像が有る場合、一致する前記第１の画像に紐付けられた実行処理を特定する実行処理特定部と、前記実行処理特定部が特定した実行処理に従い、該当する機能を制御するシステム制御部とを備えることを特徴とする。
また、前記管理テーブルは、前記第１の画像毎に設定した第１の属性を管理し、前記画像認識部は、前記画像データから前記第２の画像の第２の属性を抽出し、前記実行処理特定部は、前記管理テーブルに前記第２の属性と一致する前記第１の属性が有る場合、一致する前記第１の属性に対応した前記第１の画像に紐付けられている実行処理を特定することを特徴とする。
また、前記第１の属性は、前記第１の画像の位置、色、サイズ、傾きのいずれか又はいずれかの組み合わせを含み、前記第２の属性は、前記第２の画像の位置、色、サイズ、傾きのいずれか又はいずれかの組み合わせを含むことを特徴とする。
本発明の画像形成プログラムは、管理テーブルにより、複数の第１の画像と前記第１の画像毎に紐付けられた実行処理とを管理する工程と、画像認識部により、スキャナー部が読み取った原稿の画像データから第２の画像を抽出する工程と、実行処理特定部により、前記管理テーブルを参照し、前記管理テーブルに前記画像認識部が抽出した前記第２の画像と一致する前記第１の画像が有る場合、一致する前記第１の画像に紐付けられた実行処理を特定する工程と、システム制御部により、前記実行処理特定部が特定した実行処理に従い、該当する機能を制御する工程とを、画像形成装置を制御するコンピューターに実行させることを特徴とする。
本発明の画像形成装置及び画像形成プログラムでは、管理テーブルにより、複数の第１の画像と第１の画像毎に紐付けられた実行処理とを管理し、画像認識部により、スキャナー部が読み取った原稿の画像データから第２の画像を抽出し、実行処理特定部により、管理テーブルを参照し、管理テーブルに画像認識部が抽出した第２の画像と一致する第１の画像が有る場合、一致する第１の画像に紐付けられた実行処理を特定し、システム制御部により、実行処理特定部が特定した実行処理に従い、該当する機能を制御する。
このように、システム制御部が管理テーブルの第１の画像に紐付けられている実行処理に従った機能の制御を行うため、原稿の画像に応じた様々な機能の自動処理が可能となる。
【発明の効果】
【００１０】
本発明の画像形成装置及び画像形成プログラムによれば、原稿の画像に応じた様々な機能の自動処理が可能となるので、ユーザー毎に異なる様々な利用形態に対する利便性を高めることができる。
【図面の簡単な説明】
【００１１】
【図１】本発明の画像形成装置をＭＦＰに適用した場合の一実施形態を示す図である。
【図２】図１の画像認識部による画像の抽出の一例について説明するものであって、図２（ａ）は物体画像が左上に位置している場合のイメージファイルを示す図であり、図２（ｂ）は物体画像１１８が右上に位置している場合のイメージファイルを示す図であり、図２（ｃ）は物体画像が左下に位置している場合のイメージファイルを示す図であり、図２（ｄ）は物体画像が右下に位置している場合のイメージファイルを示す図である。
【図３】図１の画像認識部による画像の抽出の一例について説明するものであって、図３（ａ）はシンボルマークが左上に位置している場合のイメージファイルを示す図であり、図３（ｂ）はシンボルマークが右上に位置している場合のイメージファイルを示す図であり、図３（ｃ）はロゴマークが右上に位置している場合のイメージファイルを示す図であり、図３（ｄ）はロゴマークが右下に位置している場合のイメージファイルを示す図である。
【図４】図１の実行処理特定部が管理する管理テーブルを説明するための図である。
【図５】図１のＭＦＰによる画像形成処理について説明するためのフローチャートである。
【発明を実施するための形態】
【００１２】
以下、本発明の画像形成装置の一実施形態を、図１〜図５を参照しながら説明する。なお、以下の説明においての画像形成装置の一例としては、たとえば印刷機能、コピー機能、ＦＡＸ機能、ネットワーク経由でのデータ送受信機能などを搭載した複合的な周辺機器であるＭＦＰ（Ｍｕｌｔｉｆｕｎｃｔｉｏｎ  Ｐｅｒｉｐｈｅｒａｌ）であるものとする。また、以下に示す画像とは、後述の図３及び図４に示す物体画像１１８Ａ、シンボルマーク１１８Ｂ、ロゴマーク１１８Ｃなどの総称である。
【００１３】
まず、図１に示すように、ＭＦＰ１００は、スキャナー部１０１、プリンター部１０２、ＦＡＸ部１０３、Ｉ／Ｆ（インターフェース）１０４、パネル部１０５及びＨＤＤ１０６の動作を制御する制御部１１０を備えている。
【００１４】
スキャナー部１０１は、イメージセンサ（図示省略）によって読み取られる図示しない原稿の画像をデジタルの画像データに変換し、制御部１１０に入力するデバイスである。プリンター部１０２は、制御部１１０から出力される印刷データに基づき、図示しない用紙上に画像を印刷するデバイスである。ＦＡＸ部１０３は、制御部１１０から出力されるデータを、電話回線を通じ相手方となるファクシミリへと送信し、また、相手方ファクシミリからのデータを受信して制御部１１０に入力するデバイスである。
【００１５】
Ｉ／Ｆ１０４は、図示しないネットワークを介し、図示しない情報提供サーバーなどに接続されている。なお、Ｉ／Ｆ１０４は、他の図示しないＭＦＰやユーザー端末などとの通信を受け持ってもよいし、図示しないコンテンツサーバーやウェブサーバーなどとの通信を受け持ってもよい。パネル部１０５は、ＭＦＰ１００の印刷機能、コピー機能、ＦＡＸ機能、ネットワーク経由でのデータ送受信機能や、各種設定のための表示を行うタッチパネルなどのデバイスである。ＨＤＤ１０６は、ＭＦＰ１００の種々の機能を提供するためのアプリケーションプログラムなどを記憶している記憶デバイスである。また、ＨＤＤ１０６は、たとえばユーザー端末側から登録された印刷ジョブ及びページ記述言語による印刷対応データなどを記憶するユーザーボックスを有している。
【００１６】
制御部１１０は、認証プログラムなどのアプリケーションプログラム、画像形成プログラム、及び制御プログラムなどを実行してＭＦＰ１００全体の動作を制御するプロセッサーである。制御部１１０は、スキャナー制御部１１１、プリンター制御部１１２、ＦＡＸ（Ｆａｃｓｉｍｉｌｅ）制御部１１３、通信制御部１１４、ＲＡＭ（Ｒａｎｄｏｍ  Ａｃｃｅｓｓ  Ｍｅｍｏｒｙ）１１５、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）１１６、画像処理部１１７、画像認識部１１８、実行処理特定部１１９、パネル操作制御部１２０、ＨＤＤ制御部１２１、システム制御部１２２を備えている。また、これらは、データバス１２３に接続されている。
【００１７】
スキャナー制御部１１１は、スキャナー部１０１の読み取り動作を制御する。プリンター制御部１１２は、プリンター部１０２の印刷動作を制御する。ＦＡＸ制御部１１３は、ＦＡＸ部１０３によるデータの送受信動作を制御する。通信制御部１１４は、Ｉ／Ｆ１０４を介し、ネットワーク経由でのデータなどの送受信の制御を行う。
【００１８】
ＲＡＭ１１５は、プログラムを実行するためのワークメモリーである。また、ＲＡＭ１１５は、画像処理部１１７によって画像処理された印刷データを記憶する。ＥＥＰＲＯＭ１１６には、各部の動作チェックなどを行う制御プログラムが記憶されている。また、ＥＥＰＲＯＭには、スキャナー部１０１、プリンター部１０２、ＦＡＸ部１０３、Ｉ／Ｆ（インターフェース）１０４、パネル部１０５及びＨＤＤ１０６などを動作させるためのファームウェアなどが記憶されている。
【００１９】
画像処理部１１７は、スキャナー部１０１によって読み取られた画像データに対する画像処理（ラスタライズ）を行う。また、画像処理部１１７は、ＨＤＤ１０６のユーザーボックスに登録された印刷対象データに対する画像処理（ラスタライズ）を行う。なお、システム制御部１２２は、画像処理部１１７が画像処理した印刷データを、一旦、ＲＡＭ１１５に記憶させる。
【００２０】
画像認識部１１８は、詳細については後述するが、システム制御部１２２の指示に従い、スキャナー部１０１が読み取った原稿の画像データに対し、文字及び画像の認識（以下、画像認識という）を行い、画像の抽出、画像の位置の抽出、画像の色の抽出などを行う。なお、画像の位置や色は、画像の属性である。
【００２１】
実行処理特定部１１９は、詳細については後述するが、後述の管理テーブル２００を参照し、画像認識部１１８が抽出した画像が管理テーブル２００に登録されている場合、登録されている画像に紐付けられた実行処理を特定し、システム制御部１２２に通知する。
【００２２】
パネル操作制御部１２０は、パネル部１０５の表示動作を制御する。また、パネル操作制御部１２０は、パネル部１０５を介し、印刷、コピー、ＦＡＸ、ネットワーク経由でのデータ送受信などの開始を受け付ける。また、パネル操作制御部１２０は、パネル部１０５を介し、自動処理モードの選択などを受け付ける。
【００２３】
システム制御部１２２は、各部の連携動作などを制御する。また、システム制御部１２２は、パネル部１０５を介してコピーや印刷などが選択されると、スキャナー制御部１１１やプリンター制御部１１２を介し、スキャナー部１０１による原稿の読み取りやプリンター部１０２による用紙への印刷を制御する。また、システム制御部１２２は、パネル操作制御部１２０がパネル部１０５を介し、自動処理モードの選択を受け付けると、画像認識部１１８に対し画像認識を指示し、実行処理特定部１１９に対し実行処理の特定を指示する。
【００２４】
次に、図２及び図３を参照し、画像認識部１１８による画像の抽出の一例について説明する。なお、図２及び図３は、画像認識部１１８によるスキャナー部１０１が読み取った原稿のイメージファイルを示している。
【００２５】
まず、図２（ａ）は、テキストと物体画像１１８Ａとが混在していて物体画像１１８Ａが左上に位置しているイメージファイル１１８ａを示している。図２（ｂ）は、テキストと物体画像１１８Ａとが混在していて物体画像１１８Ａが右上に位置しているイメージファイル１１８ｂを示している。図２（ｃ）は、テキストと物体画像１１８Ａとが混在していて物体画像１１８Ａが左下に位置しているイメージファイル１１８ｃを示している。図２（ｄ）は、テキストと物体画像１１８Ａとが混在していて物体画像１１８Ａが右下に位置しているイメージファイル１１８ｂを示している。
【００２６】
次に、図３（ａ）は、テキストとシンボルマーク１１８Ｂとが混在していてシンボルマーク１１８Ｂが左上に位置しているイメージファイル１１８ｅを示している。図３（ｂ）は、テキストとシンボルマーク１１８Ｂとが混在していてシンボルマーク１１８Ｂが右上に位置しているイメージファイル１１８ｆを示している。図３（ｃ）は、テキストとロゴマーク１１８Ｃとが混在していてロゴマーク１１８Ｃが右上に位置しているイメージファイル１１８ｇを示している。図３（ｄ）は、テキストとロゴマーク１１８Ｃとが混在していてロゴマーク１１８Ｃが右下に位置しているイメージファイル１１８ｂを示している。
【００２７】
なお、図２でのイメージファイル１１８ａ〜１１８ｄにおいて、物体画像１１８Ａをスマートフォンなどの携帯端末として示しているが、携帯端末に限らず、ＭＦＰ１００などの他の電子機器の画像であってもよいし、風景画などの他の画像であってもよい。また、図３でのイメージファイル１１８ｅ〜１１８ｈにおいて、シンボルマーク１１８Ｂ及びロゴマーク１１８Ｃを示しているが、社外秘マークやブランドシンボルなどの他の画像であってもよい。
【００２８】
ここで、実行処理特定部１１９は、後述の管理テーブル２００を参照し、画像認識部１１８が抽出した物体画像１１８Ａ、シンボルマーク１１８Ｂ、ロゴマーク１１８Ｃなどが管理テーブル２００に登録されている場合、登録されている画像に紐付けられた実行処理を特定し、システム制御部１２２に通知する。
【００２９】
次に、図４を参照し、原稿の画像に応じた実行処理を管理する管理テーブル２００について説明する。
【００３０】
管理テーブル２００には、項目欄２００ｄ〜２００ｋが設けられている。また、それぞれの項目欄２００ｄ〜２００ｋは、登録されている画像（以下、登録画像という）を示す項目２００ａ、それぞれの登録画像に対して設定した登録画像の属性を示す項目２００ｂ、それぞれの登録画像に対して紐付けられた実行処理の項目２００ｃに分けられている。
【００３１】
ここで、項目欄２００ｄでは、項目２００ａの登録画像が「物体画像１１８Ａ」と「シンボルマーク１１８Ｂ」となっていることを示し、項目２００ｂの属性が「画像が左上でモノクロ」であることを示し、項目２００ｃの実行処理が「モノクロで印刷」となっていることを示している。また、項目欄２００ｅでは、項目２００ａの登録画像が「物体画像１１８Ａ」と「シンボルマーク１１８Ｂ」と「ロゴマーク１１８Ｃ」となっていることを示し、項目２００ｂの属性が「画像が右上でモノクロ」であることを示し、項目２００ｃの実行処理が「カラーで印刷」となっていることを示している。また、項目欄２００ｆでは、項目２００ａの登録画像が「物体画像１１８Ａ」と「ロゴマーク１１８Ｃ」となっていることを示し、項目２００ｂの属性が「画像が左下でモノクロ」であることを示し、項目２００ｃの実行処理が「モノクロで２部印刷」となっていることを示している。
【００３２】
また、項目欄２００ｇでは、項目２００ａの登録画像が「物体画像１１８Ａ」となっていることを示し、項目２００ｂの属性が「画像が右下でモノクロ」であることを示し、項目２００ｃの実行処理が「カラーで２部印刷」となっていることを示している。また、項目欄２００ｈでは、項目２００ａの登録画像が「物体画像１１８Ａ」となっていることを示し、項目２００ｂの属性が「画像が左上で赤色」であることを示し、項目２００ｃの実行処理が「モノクロで拡大印刷」となっていることを示している。また、項目欄２００ｉでは、項目２００ａの登録画像が「物体画像１１８Ａ」となっていることを示し、項目２００ｂの属性が「画像が右上で赤色」であることを示し、項目２００ｃの実行処理が「カラーで拡大印刷」となっていることを示している。また、項目欄２００ｊでは、項目２００ａの登録画像が「物体画像１１８Ａ」となっていることを示し、項目２００ｂの属性が「画像が左下で赤色」であることを示し、項目２００ｃの実行処理が「モノクロで２部拡大印刷」となっていることを示している。また、項目欄２００ｋでは、項目２００ａの登録画像が「物体画像１１８Ａ」となっていることを示し、項目２００ｂの属性が「画像が右下で赤色」であることを示し、項目２００ｃの実行処理が「カラーで２部拡大印刷」となっていることを示している。
【００３３】
なお、項目２００ａの登録画像については、物体画像１１８Ａ、シンボルマーク１１８Ｂ、ロゴマーク１１８Ｃに限定されるものではない。たとえば社外秘マークなどのように機密性を知らせる画像であってもよいし、権利などの証書を示す証券などの画像であってもよい。また、項目２００ａの登録画像については、任意に追加、削除、変更が可能である。
【００３４】
また、項目２００ｂの画像の属性は、項目２００ａの登録画像に対して設定された画像の位置や画像の色などである。画像の属性については、画像の位置や色に限らず、画像のサイズや画像の傾きなどを含めてもよい。また、画像の属性については、画像の位置、色、サイズ、傾きのいずれかの組み合わせであってもよい。なお、項目２００ｂの画像の属性についても、任意に追加、削除、変更が可能である。
【００３５】
また、項目２００ｃの実行処理は、項目２００ａの登録画像に紐付けられたものであり、ＭＦＰ１００が備えている印刷機能、コピー機能、ＦＡＸ機能、ネットワーク経由でのデータ送受信機能での各種設定などの処理に関する内容を示すものである。なお、項目２００ｃの実行処理についても、任意に追加、削除、変更が可能である。
【００３６】
ここで、上述した図２（ａ）のイメージファイル１１８ａにおいて、画像認識部１１８が物体画像１１８Ａを抽出したとする。また、画像認識部１１８が、物体画像１１８Ａの属性として、物体画像１１８Ａが左上に位置し、物体画像１１８Ａの色がモノクロであることを抽出したとする。このとき、実行処理特定部１１９は、管理テーブル２００を参照し、画像認識部１１８が抽出した物体画像１１８Ａが項目２００ａに登録されているかどうかを確認する。この場合、実行処理特定部１１９は、項目欄２００ｄ〜２００ｋの全てに物体画像１１８Ａが登録されていることを確認する。また、実行処理特定部１１９は、物体画像１１８Ａの属性が左上であり、モノクロであることを元に、属性の項目２００ｂの内容を確認する。この場合、実行処理特定部１１９は、項目欄２００ｄの項目２００ｂの内容と一致することを確認する。そして、実行処理特定部１１９は、項目欄２００ｄの登録画像に紐付けられている項目２００ｃの実行処理である、モノクロで印刷を特定し、システム制御部１２２に通知する。
【００３７】
また、上述した図２（ａ）のイメージファイル１１８ａにおいて、画像認識部１１８が物体画像１１８Ａの色を赤として抽出したとする。この場合、実行処理特定部１１９は、物体画像１１８Ａの属性が左上であり、赤色であることを元に、項目欄２００ｈの項目２００ｂの内容と一致することを確認し、項目２００ａの登録画像に紐付けられている項目２００ｃの実行処理である、モノクロで拡大印刷を特定し、システム制御部１２２に通知する。
【００３８】
なお、上述した図２（ｂ）〜（ｄ）及び図３（ａ）〜（ｄ）のイメージファイル１１８ｂ〜１１８ｈにおいて、画像認識部１１８が物体画像１１８Ａ、シンボルマーク１１８Ｂ、ロゴマーク１１８Ｃのいずれかを抽出し、さらにそれぞれの属性を抽出した場合、実行処理特定部１１９が上記同様に、実行処理を特定する。すなわち、実行処理特定部１１９は、管理テーブル２００を参照し、それぞれの物体画像１１８Ａ、シンボルマーク１１８Ｂ、ロゴマーク１１８Ｃ及びそれぞれの物体画像１１８Ａ、シンボルマーク１１８Ｂ、ロゴマーク１１８Ｃの属性に応じた実行処理を特定し、システム制御部１２２に通知する。
【００３９】
なお、項目２００ａの登録画像については、物体画像１１８Ａ、シンボルマーク１１８Ｂ、ロゴマーク１１８Ｃに限らず、上述した社外秘マークやブランドシンボルなどの他の画像であってもよい。また、項目２００ａの登録画像については、物体画像１１８Ａに限らず、ＭＦＰ１００などの他の電子機器の画像であってもよいし、風景画などの他の画像であってもよい。なお、項目２００ｂの画像の属性については、画像の位置や画像の色に限らず、画像のサイズであってよいし、画像の向きであってもよい。また、画像の色については、赤に限らず、他の色であってもよい。画像の位置については、左上、右上、左下、右下に限らず、どの位置であってもよい。また、画像の属性については、画像の位置、色、サイズ、傾きのいずれかの組み合わせであってもよい。
【００４０】
また、項目２００ｃの実行処理については、印刷に限らず、ＦＡＸ送信処理、画像データの送信処理、画像データの編集処理などであってもよい。すなわち、項目２００ｃの実行処理については、ＭＦＰ１００が備えている印刷機能、コピー機能、ＦＡＸ機能、ネットワーク経由でのデータ送受信機能での各種設定などの処理に関するものであればよい。また、ブランドシンボルにあっては、縦横の比や色の指定が決まっている場合がある。このように、縦横の比や色の指定が決まっている場合、登録画像に紐付けて縦横の比や色の設定値などを項目２００ｃの実行処理に登録してもよい。この場合、画像処理部１１７により、スキャナー部１０１が読み取った画像データの画像の縦横の比や色を設定値に基づいて編集できる。また、社外秘マークの場合、項目２００ｃの実行処理に、特定ユーザーのみ印刷可とした内容を登録してもよい。また、証券特定画像の場合、項目２００ｃの実行処理を、メディアタイプや給紙段特定し、両面を禁則としてもよい。また、特定マークの場合、項目２００ｃの実行処理に、管理者に通知とした内容を登録してもよい。この場合、管理者を識別する識別情報を登録してもよい。
【００４１】
次に、図５を参照し、ＭＦＰ１００での画像形成処理について説明する。なお、以下では、図示しない原稿がたとえばＡＤＦ（ａｕｔｏ  ｄｏｃｕｍｅｎｔ  ｆｅｅｄｅｒ）にセットされているものとして説明する。
【００４２】
（ステップＳ１０１）
システム制御部１２２は、自動処理モードが選択されたかどうかを判断する。
この場合、システム制御部１２２は、パネル操作制御部１２０からのパネル部１０５を介しての自動処理モードの選択を受け付けたことを示す通知が無ければ自動処理モードが選択されないと判断する（ステップＳ１０１：Ｎｏ）。
これに対し、システム制御部１２２は、パネル操作制御部１２０からのパネル部１０５を介しての自動処理モードの選択を受け付けたことを示す通知が有れば自動処理モードが選択されたと判断し（ステップＳ１０１：Ｙｅｓ）、ステップＳ１０２に移行する。
【００４３】
（ステップＳ１０２）
システム制御部１２２は、原稿の読み取りを指示する。
この場合、システム制御部１２２は、スキャナー制御部１１１に対し、ＡＤＦにセットされている原稿の読み取りを指示する。このとき、スキャナー制御部１１１は、スキャナー部１０１によるＡＤＦにセットされている原稿の読み取りを制御する。また、スキャナー制御部１１１は、スキャナー部１０１が読み取った画像データをたとえばＨＤＤ１０６に記憶させる。
【００４４】
（ステップＳ１０３）
システム制御部１２２は、原稿が読み取られたかどうかを判断する。
この場合、システム制御部１２２は、スキャナー制御部１１１からのスキャナー部１０１による原稿の読み取りが完了したことを示す通知が無ければ、原稿が読み取られていないと判断する（ステップＳ１０３：Ｎｏ）。
これに対し、システム制御部１２２は、スキャナー制御部１１１からのスキャナー部１０１による原稿の読み取りが完了したことを示す通知が有れば、原稿が読み取られたと判断し（ステップＳ１０３：Ｙｅｓ）、ステップＳ１０４に移行する。
【００４５】
（ステップＳ１０４）
システム制御部１２２は、画像認識を指示する。
この場合、システム制御部１２２は、画像認識部１１８に対し、画像認識を指示する。
このとき、画像認識部１１８は、ＨＤＤ１０６に記憶されているスキャナー部１０１が読み取った原稿の画像データに対し、画像認識（文字及び画像の認識）を行い、画像の抽出、画像の位置の抽出、画像の色の抽出などを行う。
【００４６】
（ステップＳ１０５）
システム制御部１２２は、実行処理の特定を指示する。
この場合、システム制御部１２２は、実行処理特定部１１９に対し、実行処理の特定を指示する。このとき、実行処理特定部１１９は、画像認識部１１８が抽出した画像から画像の属性を検出し、管理テーブル２００に登録されている実行処理を特定し、システム制御部１２２に通知する。
すなわち、実行処理特定部１１９は、図４の管理テーブル２００を参照し、まず項目２００ａに画像認識部１１８が抽出した画像と一致する登録画像が有るかどうかを検出する。次に、実行処理特定部１１９は、画像認識部１１８が抽出した画像と一致する登録画像が有る場合、項目２００ｂに画像認識部１１８が抽出した画像の属性と一致する属性が有るかどうかを検出する。次に、実行処理特定部１１９は、画像認識部１１８が抽出した画像の属性と一致する属性が有る場合、一致した属性に対応する登録画像に紐付けられている項目２００ｃの実行処理を特定する。
具体的には、たとえば図２（ａ）のイメージファイル１１８ａにおいて、画像認識部１１８が物体画像１１８Ａと、物体画像１１８Ａの位置と、物体画像１１８Ａの色（たとえばモノクロ）とを抽出したとする。このとき、実行処理特定部１１９は、物体画像１１８Ａの位置が左上で、物体画像１１８Ａの色がモノクロであるとした物体画像１１８Ａの属性を検出する。次に、実行処理特定部１１９は、物体画像１１８Ａの属性と一致する項目２００ｂの属性が項目欄２００ｄに有ることを検出する。次に、実行処理特定部１１９は、項目欄２００ｄの項目２００ａに登録されている登録画像に紐付けられた項目２００ｃの実行処理がモノクロで印刷であることを特定する。
なお、実行処理特定部１１９は、画像認識部１１８が抽出した画像と一致する画像が管理テーブル２００に登録されていない場合、システム制御部１２２に登録されていないことを通知してもよい。この場合、システム制御部１２２は、パネル操作制御部１２０に対し、パネル部１０５へのエラー表示（たとえば自動処理ができないことを示す内容表示）を指示してもよい。
【００４７】
（ステップＳ１０６）
システム制御部１２２は、実行処理が特定されたかどうかを判断する。
この場合、システム制御部１２２は、実行処理特定部１１９からの実行処理の特定が完了したことを示す通知が無ければ実行処理が特定されていないと判断する（ステップＳ１０６：Ｎｏ）。
これに対し、システム制御部１２２は、実行処理特定部１１９からの実行処理の特定が完了したことを示す通知が有れば実行処理が特定されたと判断し（ステップＳ１０６：Ｙｅｓ）、ステップＳ１０７に移行する。
【００４８】
（ステップＳ１０７）
システム制御部１２２は、特定された実行処理を指示する。
この場合、システム制御部１２２は、実行処理特定部１１９が特定した実行処理が、モノクロで印刷である場合、画像処理部１１７に対し、ＨＤＤ１０６に記憶されている画像データの画像処理を指示し、プリンター制御部１１２に対し、モノクロでの印刷を指示する。
【００４９】
このように、本実施形態では、管理テーブル２００により、複数の画像（第１の画像）と登録された画像（第１の画像）毎に紐付けられた実行処理とを管理し、画像認識部１１８により、スキャナー部１０１が読み取った原稿の画像データから物体画像１１８Ａ（第２の画像）、シンボルマーク１１８Ｂ（第２の画像）、ロゴマーク１１８Ｃ（第２の画像）などを抽出し、実行処理特定部１１９により、管理テーブル２００を参照し、管理テーブル２００に画像認識部１１８が抽出した物体画像１１８Ａ（第２の画像）、シンボルマーク１１８Ｂ（第２の画像）、ロゴマーク１１８Ｃ（第２の画像）と一致する登録画像（第１の画像）が有る場合、一致する登録画像（第１の画像）に紐付けられた実行処理を特定し、システム制御部１２２により、実行処理特定部１１９が特定した実行処理に従い、該当する機能を制御する。
【００５０】
このように、システム制御部１２２が管理テーブル２００の登録画像（第１の画像）毎に紐付けられている実行処理に従い、該当する機能を制御することで、原稿の画像に応じた様々な機能の自動処理が可能となり、ユーザー毎に異なる様々な利用形態に対する利便性を高めることができる。
【００５１】
また、管理テーブル２００は、登録画像（第１の画像）毎に設定した画像の位置や色などの属性（第１の属性）を管理し、画像認識部１１８は、画像データから物体画像１１８Ａ（第２の画像）、シンボルマーク１１８Ｂ（第２の画像）、ロゴマーク１１８Ｃ（第２の画像）などの画像の位置や色などの属性（第２の属性）を抽出し、実行処理特定部１１９は、管理テーブル２００に物体画像１１８Ａ（第２の画像）、シンボルマーク１１８Ｂ（第２の画像）、ロゴマーク１１８Ｃ（第２の画像）などと一致する登録画像（第１の画像）の属性（第１の属性）が有る場合、一致する属性（第１の属性）に対応した登録画像（第１の画像）に紐付けられている実行処理を特定するので、たとえば同じ物体画像１１８Ａ（第２の画像）に対し、物体画像１１８Ａ（第２の画像）の画像の位置や色などの属性（第２の属性）に応じてそれぞれ異なる実行処理を複数設定できる。
【００５２】
なお、本実施形態では、画像形成装置をＭＦＰ１００に適用した場合として説明したが、この例に限らず、多機能プリンターなどの他の画像形成装置に適用してもよい。
【符号の説明】
【００５３】
１００  ＭＦＰ
１０１  スキャナー部
１０２  プリンター部
１０３  ＦＡＸ部
１０５  パネル部
１０４  Ｉ／Ｆ
１０６  ＨＤＤ
１１０  制御部
１１１  スキャナー制御部
１１２  プリンター制御部
１１３  ＦＡＸ制御部
１１４  通信制御部
１１５  ＲＡＭ
１１６  ＥＥＰＲＯＭ
１１７  画像処理部
１１８  画像認識部
１１８Ａ  物体画像
１１８Ｂ  シンボルマーク
１１８Ｃ  ロゴマーク
１１８ａ〜１１８ｈ  イメージファイル
１１９  実行処理特定部
１２０  パネル操作制御部
１２１  ＨＤＤ制御部
１２２  システム制御部
１２３  データバス
２００  管理テーブル
２００ａ〜２００ｃ  項目
２００ｄ〜２００ｋ  項目欄
【図１】
2018074538.tif 000003
【図２】
2018074538.tif 000004
【図３】
2018074538.tif 000005
【図４】
2018074538.tif 000006
【図５】
2018074538.tif 000007